(57)【要約】【課題】  積雪地方における屋根の軒先部に設置した融雪装置について、積雪圧力や屋根の勾配、長さによって装置全体にかかる雪の滑落重量に対処することができる装置を提供する。【解決手段】  全体の左右両側端部およびその中間部位に、水平杆部３，垂直杆部４および傾斜杆部５から成る略直角三角形状の支持部材２を配置した本体１において、前記左右の垂直杆部と水平杆部の角部間および左右の垂直杆部と傾斜杆部の角部間にそれぞれ上下前端横杆８、８’を架設し、このうち下前端横杆より後方には空間部９をおいて支持部材の各水平杆部間に前側横杆１０を架設し、この前側横杆と前記支持部材の各水平杆部の後端部間に架設した後端横杆１１との間には波板材１３を設置し、この波板材の任意の波形位置に基端部を嵌合固着した掛止杆１４，１４を前記空間部より前方位に突設し、このように成る全支持部材の周囲に網体１６を被套して成る装置である。【選択図】    図１
2010001606.tif 000002
【特許請求の範囲】
【請求項１】
全体の左右両側端部およびその中間部位に、水平杆部，垂直杆部および傾斜杆部から成る略直角三角形状の支持部材を配置した本体において、前記左右の垂直杆部と水平杆部の角部間および左右の垂直杆部と傾斜杆部の角部間にそれぞれ上下前端横杆を架設し、このうち下前端横杆より後方には空間部をおいて支持部材の各水平杆部間に前側横杆を架設し、この前側横杆と前記支持部材の各水平杆部の後端部間に架設した後端横杆との間には波板材を設置し、この波板材の任意の波形位置に基端部を嵌合固着した掛止杆を前記空間部より前方位に突設し、このように成る全支持部材の周囲に網体を被套して成ることを特徴とする軒先融雪装置。
【発明の詳細な説明】
【技術分野】
【０００１】
本発明は、軒先融雪装置に関するものである。
【背景技術】
【０００２】
本発明者はすでに特願２００５−２００３６（特開２００６−２０７２３４）および特願２００７−１３８８７８に係る発明を出願しているところ、これらの発明は軒先における落雪の防止や融雪の促進には効力はあったものの、積雪圧力と屋根勾配並に屋根の長さなどにより装置全体にかかる雪の滑落重量に対する強度には依然として難点があり、種類の異なる全屋根に対する本装置の取付け施工が可能とは限らず、欠点となっていた。
【０００３】
【特許文献１】特開２００６−２０７２３４号公報
【発明の開示】
【発明が解決しようとする課題】
【０００４】
そこで、本発明は前記のような欠点を除去する軒先融雪装置を提供することを目的とするものである。
【課題を解決するための手段】
【０００５】
本発明は、全体の左右両側端部およびその中間部位に、水平杆部，垂直杆部および傾斜杆部から成る略直角三角形状の支持部材を配置した本体において、前記左右の垂直杆部と水平杆部の角部間および左右の垂直杆部と傾斜杆部の角部間にそれぞれ上下前端横杆を架設し、このうち下前端横杆より後方には空間部をおいて支持部材の各水平杆部間に前側横杆を架設し、この前側横杆と前記支持部材の各水平杆部の後端部間に架設した後端横杆との間には波板材を設置し、この波板材の任意の波形位置に基端部を嵌合固着した掛止杆を前記空間部より前方位に突設し、このように成る全支持部材の周囲に網体を被套して成るものである。
【発明の効果】
【０００６】
第１に、装置全体は軒先部における積雪による加圧力に対して本体の各支持部材への補強によって十分に耐久性のあるものとなっている。
【０００７】
第２に、波板材の前方位には空間部を形成しているから、融雪水や雨水の特に夕立や豪雨時における雨樋への流出処理を迅速かつ円滑に行うことができるようになる。
【発明を実施するための最良の形態】
【０００８】
屋根の積雪は、軒先における網体によって確実に停止して滑落雪を防止するとともに日照によって消雪を迅速に始めることになり、また融雪水も雨水もすべて下方の空間部から軒先の雨樋へスムースに流出するようになる。
【実施例】
【０００９】
１は任意の屋根軒先部に設置する装置本体で、この本体は左右両側端部およびこの中間部には同一形状に成る底辺部の長い略直角三角形状の支持部材２，２・・を用意する。
【００１０】
この支持部材２は、水平杆部３，３・・と垂直杆部４，４・・と傾斜杆部５，５・・から成るもので、この傾斜杆部の下端部は各水平杆部３の中間部に止着６する。
【００１１】
３’，３’・・は前記水平杆部３，３・・の延長部分で、この水平杆部の延長部分の端部は後記横杆１１に固着する。
【００１２】
７，７・・は前記垂直杆部４，４・・に形成した補強部で、この補強部はＶ形又はＵ形に成る。
【００１３】
８は前記支持部材２の左右の水平杆部３，３・・部の前端部間に架設し固着した下前端横杆で、この下前端横杆より後方においては空間部９を形成し、前記支持部材２の各水平杆部３間には前側横杆１０を架設して固着する。
【００１４】
前記前端横杆８の上方に対向位置する支持部材の垂直杆部４と傾斜杆部５との角部分間には、上前端横杆８’が架設する。
【００１５】
１１は前記支持部材２の各水平杆部３の後端部間に架設し固着した後端横杆で、この後端横杆と前記前側横杆１０との間には左右の支持部材２の各水平杆部３に固着した中間横杆１２を架設する。
【００１６】
１３は前記支持部材２の各水平杆部３部間に架設した前側横杆１０，中間横杆１２及び後端横杆１１の底面部の範囲に設置する波板材で、この波板材の前端部には前端横杆８との間に前記空間部９が形成している。
【００１７】
１４，１４は基端部を前記波板材１３の任意位置に固着し前側部を前記左右両側部間に架設した前端横杆８より前方に突設した掛止部１４’，１４’を有する掛止杆で、この掛止杆の平面部は前記波板材１３の波形凹面部に合致する凸面形状に成る。
【００１８】
１５・・は前記掛止杆１４，１４の平面部に設けたビス孔で、屋根板の種類などの違いに合わせてその固着孔を選ぶ。
【００１９】
１６は前記全支持部材２の左右両側部に架設する中間横杆１２部より前方部の全面に被套する網体で、この網体を構成する網目形状は任意である。
【００２０】
１７・・は前記後端横杆１１の任意箇所に設ける装置全体の取付部材で、この取付部材は屋根の適所に取付けるようにする。
【図面の簡単な説明】
【００２１】
【図１】全体の斜視図
【図２】全体の正面図
【図３】要部の側面図
【図４】図３要部の斜視図
【図５】要部の斜視図
【図６】図５Ａ−Ａ線の断面図
【図７】施工状態を示す側面図
【符号の説明】
【００２２】
２，２・・            支持部材
３，３・・            水平杆部
３’，３’・・        水平杆の延長部分
４，４・・            垂直杆部
５，５・・            傾斜杆部
７，７・・            補強部
８                    下前端横杆
８’                  上前端横杆
９                    空間部
１０                  前側横杆
１１                  後端横杆
１２                  中間横杆
１３                  波板材
１４，１４            掛止杆
１５・・              ビス孔
１６                  網体
【図１】
2010001606.tif 000003
【図２】
2010001606.tif 000004
【図３】
2010001606.tif 000005
【図４】
2010001606.tif 000006
【図５】
2010001606.tif 000007
【図６】
2010001606.tif 000008
【図７】
2010001606.tif 000009